(57)【要約】【課題】小型化を実現しつつ、広画角化及び高変倍比化にも有利なズームレンズを備えた撮像装置を提供する。【解決手段】ズームレンズと、ズームレンズの像側に配置され、撮像面を有し且つズームレンズにより撮像面上に形成された像を電気信号に変換する撮像素子と、を備え、ズームレンズは、物体側から順に、負屈折力の第１レンズ群と、正屈折力の第２レンズ群と、第３レンズ群と、を有し、さらに、広角端から望遠端へのズーミングの際に、第２レンズ群と一体で移動する明るさ絞りを有し、前記ズーミングの際に、第１レンズ群と第２レンズ群は移動し、且つ、各レンズ群の間の間隔は変化し、第１レンズ群は物体側から順に負レンズと正レンズの２つのレンズで構成され、第２レンズ群は正レンズと負レンズを含む４枚のレンズで構成され、所定の条件式を満足する。【選択図】図１
2010134373.tif 000002
【特許請求の範囲】
【請求項１】
ズームレンズと、
前記ズームレンズの像側に配置され、撮像面を有し且つ前記ズームレンズにより前記撮像面上に形成された像を電気信号に変換する撮像素子と、を備え、
前記ズームレンズは、
物体側から順に、
負屈折力の第１レンズ群と、
正屈折力の第２レンズ群と、
第３レンズ群と、を有し、
さらに、
広角端から望遠端へのズーミングの際に、前記第２レンズ群と一体で移動する明るさ絞りを有し、
前記ズーミングの際に、前記第１レンズ群と前記第２レンズ群は移動し、且つ、各レンズ群の間の間隔は変化し、
前記第１レンズ群は物体側から順に負レンズと正レンズの２つのレンズで構成され、
前記第２レンズ群は正レンズと負レンズを含む４枚のレンズで構成され、
以下の条件式（１）、（２）、（３）を満足することを特徴とする撮像装置。
−１．０＜（ｒ1a＋ｒ1b）／（ｒ1a−ｒ1b）＜０．９８  ・・・（１）
０．３０＜σ2G／ｉｈ（ｍａｘ）＜２．８０  ・・・（２）
１．５  ＜Δ2G／ｆ2＜５  ・・・（３）
ただし、
ｒ1aおよびｒ1bは、前記第１レンズ群中の前記負レンズの物体側面および像側面の近軸曲率半径、
σ2Gは、前記第２レンズ群の光軸上の厚み、
ｉｈ（ｍａｘ）は、前記撮像面における有効撮像領域での最大像高の最大値、
Δ2Gは、広角端に対する望遠端での前記第２レンズ群の位置の差であり、
物体側への移動を正符号とし、
ｆ2は、前記第２レンズ群の焦点距離、
である。
【請求項２】
前記第２レンズ群中の最も物体側のレンズは正レンズであり、以下の条件式（４）を満足することを特徴とする請求項１に記載の撮像装置。
１．１＜ｆ2／ｒ3a＜３．０  ・・・（４）
ただし、ｒ3aは、前記第２レンズ群中の最も物体側の屈折面の近軸曲率半径である。
【請求項３】
前記ズームレンズは３群ズームレンズであって、前記第３レンズ群は正の屈折力を有することを特徴とする請求項１または請求項２に記載の撮像装置。
【請求項４】
前記第２レンズ群中の隣り合う少なくとも２つのレンズが接合されていることを特徴とする請求項１から請求項３のいずれか１項に記載の撮像装置。
【請求項５】
前記第２レンズ群中の最も物体側のレンズが以下の条件式（５）を満足することを特徴とする請求項１から請求項４のいずれか１項に記載の撮像装置。
１．１＜ｆ2／Ｌ3＜３．０  ・・・（５）
ただし、Ｌ3は、前記第２レンズ群中の最も物体側のレンズの焦点距離である。
【請求項６】
前記第２レンズ群は、３枚の正レンズと１枚の負レンズからなることを特徴とする請求項１から請求項５のいずれか１項に記載の撮像装置。
【請求項７】
前記第２レンズ群は物体側から順に正レンズ、正レンズ、負レンズ、正レンズからなることを特徴とする請求項１から請求項６のいずれか１項に記載の撮像装置。
【請求項８】
前記第２レンズ群中の最も物体側のレンズと最も像側のレンズが以下の条件式（６）を満足する正レンズであることを特徴とする請求項１から請求項７のいずれか１項に記載の撮像装置。
１．７＜Ｌ6／Ｌ3＜１０  ・・・（６）
ただし、
Ｌ3は、前記第２レンズ群中の最も物体側のレンズの焦点距離、
Ｌ6は、前記第２レンズ群中の最も像側のレンズの焦点距離、
である。
【請求項９】
前記第１レンズ群中の全てのレンズのｄ線での屈折率の平均値が以下の条件式（７）を満足することを特徴とする請求項１から請求項８のいずれか１項に記載の撮像装置。
１．８７＜ＡＶＥ（ｎdg1）＜２．４０  ・・・（７）
ただし、  ＡＶＥ（ｎdg1）は、第１レンズ群中の全てのレンズのｄ線での屈折率の平均値である。
【請求項１０】
前記第３レンズ群が正の屈折力を有し、前記第２レンズ群の屈折力と、前記第３レンズ群の屈折力が以下の条件式（８）を満足することを特徴とする請求項１から請求項９のいずれか１項に記載の撮像装置。
１．０＜Ｐ2／Ｐ3＜４．０  ・・・（８）
ただし、
Ｐ2は、前記第２レンズ群の屈折力、
Ｐ3は、前記第３レンズ群の屈折力、
である。
【請求項１１】
前記第２レンズ群、前記第３レンズ群が以下の条件式（９）、（１０）を満足することを特徴とする請求項１から請求項１０のいずれか１項に記載の撮像装置。
４．０＜β2（ｔ）／β2（ｗ）＜１０．０  ・・・（９）
０．７＜β3（ｔ）／β3（ｗ）＜２．０  ・・・（１０）
ただし、
β2（ｗ）は、広角端における前記第２レンズ群の横倍率、
β2（ｔ）は、望遠端における前記第２レンズ群の横倍率、
β3（ｗ）は、広角端における前記第３レンズ群の横倍率、
β3（ｔ）は、望遠端における前記第３レンズ群の横倍率、
である。
【請求項１２】
前記第３レンズ群は正の屈折力を有し、前記ズームレンズの広角端および望遠端での光路長が以下の条件式（１１）を満足することを特徴とする請求項１から請求項１１のいずれか１項に記載の撮像装置。
０．５＜Ｄw／Ｄt≦１．０  ・・・（１１）
ただし、
Ｄwは、広角端における前記ズームレンズの物体側面から前記撮像面までの光路長、
Ｄtは、望遠端における前記ズームレンズの物体側面から前記撮像面までの光路長、
である。
【請求項１３】
ズームレンズと、
前記ズームレンズの像側に配置され、撮像面を有し且つ前記ズームレンズにより前記撮像面上に形成された像を電気信号に変換する撮像素子と、
前記電気信号に基づき画像信号に変換する信号処理部と、
前記画像信号に基づき撮影画像を表示するモニターと、
を備えた撮像装置であって、
自然人情報を含むメモリーと、
前記自然人情報を前記モニターに表示する表示切り替え操作部と、
を備えたことを特徴とする撮像装置。
【請求項１４】
ズームレンズと、
前記ズームレンズの像側に配置され、撮像面を有し且つ前記ズームレンズにより前記撮像面上に形成された像を電気信号に変換する撮像素子と、
を備え、
前記ズームレンズは、
物体側から順に、
負屈折力の第１レンズ群と、
正屈折力の第２レンズ群と、
第３レンズ群と、を有し、
さらに、
広角端から望遠端へのズーミングの際に、前記第２レンズ群と一体で移動する明るさ絞りを有し、
前記ズーミングの際に、前記第１レンズ群と前記第２レンズ群は移動し、且つ、各レンズ群の間の間隔は変化し、
前記第１レンズ群は以下の条件式（１）を満足する負レンズを有し、
前記第２レンズ群は正レンズと負レンズを含む４枚のレンズで構成され、
以下の条件式（１２）を満足することを特徴とする撮像装置。
−１．０＜（ｒ1a＋ｒ1b）／（ｒ1a−ｒ1b）＜０．９８  ・・・（１）
１．７５＜ＡＶＥ（ｎd）＜２．４０  ・・・（１２）
ただし、
ｒ1aおよびｒ1bは、前記第１レンズ群中の前記負レンズの物体側面および像側面の近軸曲率半径、
ＡＶＥ（ｎd）は、前記ズームレンズにおける前記第１レンズ群から前記第３レンズ群までの全てのレンズの屈折率の平均値、
である。
【請求項１５】
前記第１レンズ群は物体側から順に前記負レンズと正レンズの２つのレンズからなることを特徴とする請求項１４に記載の撮像装置。
【請求項１６】
前記ズームレンズが以下の条件式（１３）を満足することを特徴とする請求項１から１５のいずれか１項に記載の撮像装置。
３．６＜ｆt／ｆw＜１０  ・・・（１３）
ただし、
ｆwは、広角端でのズームレンズの焦点距離、
ｆtは、望遠端でのズームレンズの焦点距離、
である。
【請求項１７】
前記ズームレンズによるディストーションを含んだ電気信号を、画像処理によりディストーションを補正した画像信号に変換する画像変換部を有することを特徴とする請求項１から請求項１６のいずれか１項に記載の撮像装置。
【請求項１８】
前記ズームレンズによる倍率色収差を含んだ電気信号を、画像処理により倍率色収差を補正した画像信号に変換する画像変換部を有することを特徴とする請求項１から請求項１７のいずれか１項に記載の撮像装置。
【発明の詳細な説明】
【技術分野】
【０００１】
本発明は、ズームレンズを備えたビデオカメラやデジタルカメラなどの撮像装置に関するものである。
【背景技術】
【０００２】
近年、フイルム式のカメラに代わりＣＣＤやＣ−ＭＯＳセンサーを用いた撮像装置が主流となっている。デジタルカメラやビデオカメラなどの撮像装置は、撮像面が小さくなることにより小型化をしやすい。
【０００３】
小型の撮像素子を用いたデジタルカメラやビデオカメラの分野では、撮像装置の奥行き方向の厚みが小さく、且つ高変倍比で広画角の撮像装置が求められている。例えば、小型の撮像装置への用途を意図したズームレンズとして、特許文献１から特許文献９に記載されたものが知られている。
【０００４】
【特許文献１】特開２００３−２４１０９１号公報
【特許文献２】特開平１１−５２２４６号公報
【特許文献３】特開２００６−１９４９７５号公報
【特許文献４】特開２００８−４６５２９号公報
【特許文献５】特開２００７−１７９１５号公報
【特許文献６】特開２００７−１４０３５９号公報
【特許文献７】特開２００７−２７２２１６号公報
【特許文献８】特開２００３−１１４３８６９号公報
【特許文献９】特開２００６−２２７１９７号公報
【発明の開示】
【発明が解決しようとする課題】
【０００５】
しかしながら、特許文献１に開示されるような最も物体側に正屈折力のレンズ群を配置する正先行タイプのズームレンズは、沈胴状態での薄型化に不利となる。
【０００６】
特許文献２に開示されているような、最も物体側に負のレンズ群を有する負先行タイプのズームレンズではレンズ群の数を少なくすることができるため、正先行タイプのズームレンズに比べると小型化の点で有利である。しかしながら、特許文献２に開示されるズームレンズは変倍比が３倍程度と小さい。加えて、ズームレンズ中のレンズ構成枚数が多く、沈胴時の薄型化には不利である。
【０００７】
特許文献３に開示されるズームレンズは負先行で良好な光学性能を有する点で優れている。しかしながら、変倍比が３倍程度と小さい。加えて、バリエーターである第２レンズ群が３枚で構成されているために、さらなる高変倍比化を達成しようとすると、第２レンズ群中の各レンズの屈折力が大きくなりすぎ、収差が発生しやすくなる。
【０００８】
特許文献４や特許文献５に開示されるズームレンズは、最も物体側の負レンズの形状が像側に強い負屈折力をもつメニスカス形状である。そのため、これ以上の高変倍比化や広画角化のために第１レンズ群の負の屈折力を大きくしようとすると、前述の負レンズの像側面の曲率が大きくなりすぎ、収差の補正が難しくなる。
【０００９】
特許文献６、特許文献７、特許文献８、特許文献９に開示されるズームレンズは、最も物体側の負レンズが両凹形状であり、また第２レンズ群が４枚のレンズで構成されている。それにより、各レンズ群の屈折力を各レンズ面で分担でき、収差補正の点で優れている。しかしながら、特許文献６、７、８においては変倍比、広角端での画角が小さく、特許文献９においては、広角端での画角が小さく全長も大きい。
【００１０】
本発明は、上記に鑑みてなされたものであって、小型化を実現しつつ、広画角化及び高変倍比化にも有利なズームレンズを備えた撮像装置を提供することを目的とする。
【課題を解決するための手段】
【００１１】
上述した課題を解決し、目的を達成するために、本発明の第１の態様の撮像装置は、ズームレンズと、ズームレンズの像側に配置され、撮像面を有し且つズームレンズにより撮像面上に形成された像を電気信号に変換する撮像素子と、を備え、ズームレンズは、物体側から順に、負屈折力の第１レンズ群と、正屈折力の第２レンズ群と、第３レンズ群と、を有し、さらに、広角端から望遠端へのズーミングの際に、第２レンズ群と一体で移動する明るさ絞りを有し、前記ズーミングの際に、第１レンズ群と第２レンズ群は移動し、且つ、各レンズ群の間の間隔は変化し、第１レンズ群は物体側から順に負レンズと正レンズの２つのレンズで構成され、第２レンズ群は正レンズと負レンズを含む４枚のレンズで構成され、以下の条件式（１）、（２）、（３）を満足することを特徴としている。
−１．０＜（ｒ1a＋ｒ1b）／（ｒ1a−ｒ1b）＜０．９８  ・・・（１）
０．３０＜σ2G／ｉｈ（ｍａｘ）＜２．８０  ・・・（２）
１．５  ＜Δ2G／ｆ2＜５  ・・・（３）
ただし、
ｒ1aおよびｒ1bは、第１レンズ群中の負レンズの物体側面および像側面の近軸曲率半径、
σ2Gは、第２レンズ群の光軸上の厚み、
ｉｈ（ｍａｘ）は、撮像面における有効撮像領域での最大像高の最大値、
Δ2Gは、広角端に対する望遠端での第２レンズ群の位置の差であり、
物体側への移動を正符号とし、
ｆ2は、第２レンズ群の焦点距離、
である。
【００１２】
第１レンズ群に負の屈折力のレンズ群を配置することによって、レンズ群の数の低減に有利となる。レンズ群数を少なくすることは、レンズの総数の低減にもなりコストの削減や小型化に有利となる。
【００１３】
第２レンズ群は主にバリエーターの役割を果たし、広角端から望遠端へかけて移動し変倍を行う。このとき、第１レンズ群も移動させることで、像面位置の調整に有利となる。
【００１４】
第３レンズ群を配置することによって、広角端および望遠端での射出角の差を少なくすることや像面湾曲の補正を可能にする。
【００１５】
第１レンズ群を物体側から順に負レンズと正レンズの２枚で構成することによって第１レンズ群の主点を物体側よりにして第１レンズ群の径方向のサイズやズームレンズ全長を小さくしやすくなる。加えて、第１レンズ群の色収差を少ないレンズ枚数で抑えやすくなる。加えて、望遠端での軸上収差の発生の低減に有利となる。
【００１６】
第２レンズ群は正レンズと負レンズを含む４枚のレンズで構成することで、第２レンズの正の屈折力の確保と収差補正を行いやすくなり、広画角化や高変倍比化に有利となる。
【００１７】
条件式（１）は第１レンズ群中の負レンズの好ましい形状を特定するものである。この条件式を満足することで、広角端での像面湾曲や望遠端での球面収差の低減に有利となる。
【００１８】
条件式（１）の上限を上回る、または下限を下回ると、物体側面または像側面のどちらかの屈折面の近軸曲率が大きくなりすぎる。このため、広角端での像面湾曲や望遠端での球面収差が発生しやすくなり、高変倍比化に不利となる。
【００１９】
条件式（２）は第２レンズ群の光軸上の好ましい厚みを最大像高ｉｈ（ｍａｘ）に対して特定するものである。
負先行タイプのズームレンズで広画角化もしくは高変倍比化を達成するには、バリエーターである第２レンズ群の正屈折力を十分に確保する必要がある。しかし、従来のような５枚以上のレンズを使用すると第２レンズ群の光軸上の厚みが厚くなり、沈胴時の薄型化に不利となる。逆に第２レンズ群を３枚以下のレンズの構成とすると、正の屈折力の確保に伴う収差が発生しやすく、特に望遠端での軸上収差の補正が難しくなる。
【００２０】
条件式（２）を満足することで、第２レンズ群を４枚のレンズで構成しても、十分コンパクトなため、広画角化や高変倍比化を達成するための第２レンズ群の移動スペースを確保できる。このため、全長の小型化や沈胴時の薄型化にもつながる。
【００２１】
条件式（２）の上限を上回ると、ズーミングのための移動スペースが小さくなるために、第２レンズ群の正屈折力が大きくなりすぎ、収差補正が難しくなる。加えて、沈胴時に厚みが厚くなってしまう。
【００２２】
条件式（２）の下限を下回ると、第２レンズ群の十分な正屈折力を確保と収差補正が難しくなる。
【００２３】
なお、ｉｈ（ｍａｘ）は、撮像面における有効撮像領域での最大像高の最大値である。有効撮像領域を変化させてトリミング撮影を行う技術、アスペクト比を変更する技術、広角側での有効撮像領域を樽型にして信号処理により矩形の画像信号に変更する技術が知られている。
【００２４】
これらの、最大像高が変化する場合は、撮像装置がとり得る有効撮像領域のうち最大像高が最大となるときの値とする。
【００２５】
条件式（３）は広角端から望遠端へのズーミングにおける第２レンズ群の変位量と焦点距離の好ましい条件を特定するものである。この条件式を満足することで、ズーミング時の収差変動を抑えつつ、高変倍比化に有利となる。
【００２６】
条件式（３）の下限を下回ると、第２レンズ群の変倍負担が小さくなり、第３レンズ群以降に大きな変倍負担を必要とし、像面湾曲や、射出瞳位置の変動が大きくなってくる。
【００２７】
条件式（３）の上限を上回ると、第２レンズ群の屈折力や移動量が大きくなりすぎ、望遠端での軸上収差や、広角端と望遠端の収差変動が大きくなりやすくなる。
【００２８】
なお、ズームレンズがフォーカシング機構を有する場合は最も遠距離に合焦した状態での構成とする。以下の各構成も同様に、ズームレンズがフォーカシング機構を有する場合は最も遠距離に合焦した状態での構成とする。
【００２９】
上述の発明にて、以下に示す構成の１つもしくは複数の事項を満足することがより好ましい。
【００３０】
本発明に係る撮像装置において、第２レンズ群中の最も物体側のレンズは正レンズであり、以下の条件式（４）を満足することが好ましい。
１．１＜ｆ2／ｒ3a＜３．０  ・・・（４）
ただし、ｒ3aは、第２レンズ群中の最も物体側の屈折面の近軸曲率半径である。
【００３１】
条件式（４）は、第２レンズ群中の最も物体側の屈折面の近軸曲率半径と、第２レンズ群の焦点距離との好ましい関係を特定するものである。この条件式を満足することで、第２レンズ群の焦点距離に対して近軸曲率半径が適切となり、主点位置を物体側へ位置させることでズームレンズの小型化や、軸上、軸外の収差の低減に有利となる。加えて、第２レンズ群の径方向の小型化にも有利となる。
【００３２】
条件式（４）の下限を下回らないようにすることで、物体側屈折面の曲率を確保し、径方向の小型化に有利となる。加えて、他のレンズ面の曲率を小さくでき、諸収差の低減に有利となる。
【００３３】
条件式（４）の上限を上回らないようにすることで、この屈折面の屈折力の過剰を抑えることで、軸上光束や軸外光束の入射角の差を抑え、特に望遠端での諸収差の低減に有利となる。
【００３４】
本発明に係る撮像装置において、ズームレンズは３群ズームレンズであって、第３レンズ群は正の屈折力を有することが好ましい。
【００３５】
第３レンズ群が正の屈折力を持つことで、射出瞳を撮像面から遠くすることができ、周辺光量がけられにくく、周辺での画質の確保につながる。
【００３６】
本発明に係る撮像装置において、第２レンズ群中の隣り合う少なくとも２つのレンズが接合されていることが好ましい。
【００３７】
第２レンズ群中に接合レンズを配置することで、軸上、軸外の色収差の補正に有利となる。
【００３８】
本発明に係る撮像装置において、第２レンズ群中の最も物体側のレンズが以下の条件式（５）を満足することが好ましい。
１．１＜ｆ2／Ｌ3＜３．０  ・・・（５）
ただし、Ｌ3は、第２レンズ群中の最も物体側のレンズの焦点距離である。
【００３９】
条件式（５）は、第２レンズ群の最も物体側のレンズの焦点距離と第２レンズ群の焦点距離の好ましい比率を特定するものである。
【００４０】
沈胴時の薄型化を達成するには、沈胴収納時に第２レンズ群を撮影時のズームレンズの光軸から離脱するようにシフト移動させる沈胴方式が考えられる。この沈胴方式を用いる場合、第２レンズ群の径方向のサイズを小さく構成できれば、第２レンズ群のシフト量も小さくでき、径方向の小型化に有利となる。
【００４１】
条件式（５）を満足することで、第２レンズ群の最も物体側のレンズで光線を程よく屈折でき、径方向の小型化に有利となる。
【００４２】
条件式（５）の下限を下回らないようにすることで、物体側のレンズの正屈折力を確保でき、第２レンズ群の径方向の小型化に有利となる。条件式（５）の上限を上回らないようにすることで、第２レンズ群の最も物体側のレンズの屈折力の過剰を抑え、特に軸上収差の低減に有利となる。
【００４３】
本発明に係る撮像装置において、第２レンズ群は、３枚の正レンズと１枚の負レンズからなることが好ましい。
【００４４】
３枚の正レンズを用いることによって、正のパワーを良好に分担することが可能になる。また負レンズを用いることで、ペッツバール和と色収差の改善を図ることが可能になる。
【００４５】
本発明に係る撮像装置において、第２レンズ群は物体側から順に正レンズ、正レンズ、負レンズ、正レンズからなることが好ましい。
【００４６】
物体側から順に正レンズ、正レンズ、負レンズ、正レンズで構成することによって、正のパワーを良好に分担することが可能になる。また、３番目に負レンズを用いることで主点位置を物体側へ移動させることが可能になり、変倍比の確保や第２レンズ群の小径化に有利となる。
【００４７】
本発明に係る撮像装置において、第２レンズ群中の最も物体側のレンズと最も像側のレンズが以下の条件式（６）を満足する正レンズであることが好ましい。
１．７＜Ｌ6／Ｌ3＜１０  ・・・（６）
ただし、
Ｌ3は、第２レンズ群中の最も物体側のレンズの焦点距離、
Ｌ6は、第２レンズ群中の最も像側のレンズの焦点距離、
である。
【００４８】
条件式（６）は第２レンズ群中の最も物体側の正レンズの屈折力と最も像側の正レンズの屈折力の好ましいバランスを特定するものである。この条件式を満足することで、第２レンズ群の径方向の肥大化を防ぎながら、軸上収差の補正にも有利となる。
【００４９】
条件式（６）の下限を下回らないようにすることで、物体側のレンズの屈折力を確保でき、径方向の小型化に有利となる。条件式（６）の上限を上回らないようにすることで、像側のレンズの屈折力を確保し、軸上収差の低減に有利となる。
【００５０】
本発明に係る撮像装置において、第１レンズ群中の全てのレンズのｄ線での屈折率の平均値が以下の条件式（７）を満足することが好ましい。
１．８７＜ＡＶＥ（ｎdg1）＜２．４０  ・・・（７）
ただし、
ＡＶＥ（ｎdg1）は、第１レンズ群中の全てのレンズのｄ線での屈折率の平均値、
である。
【００５１】
条件式（７）は、第１レンズ群中の全てのレンズの好ましいｄ線屈折率の平均値を特定するものである。この条件式を満足することで、低コスト化と第１レンズ群の負の屈折力の確保の両立に有利となる。
【００５２】
条件式（７）の下限を下回らないようにすることで、第１レンズ群中の各レンズ面の曲率を抑えても負の屈折力の確保ができ、収差を抑えながら画角や変倍比の確保に有利となる。条件式（７）上限を上回らないようにすることで、レンズ材料のコストを抑えやすくなる。
【００５３】
本発明に係る撮像装置において、第３レンズ群が正の屈折力を有し、第２レンズ群の屈折力と、第３レンズ群の屈折力が以下の条件式（８）を満足することが好ましい。
１．０＜Ｐ2／Ｐ3＜４．０  ・・・（８）
ただし、
Ｐ2は、第２レンズ群の屈折力、
Ｐ3は、第３レンズ群の屈折力、
である。
【００５４】
条件式（８）は第２レンズ群と第３レンズ群の好ましい正の屈折力の分担を特定するものである。条件式を満足することで、第２レンズ群と第３レンズ群の正の屈折力の分担が良好となり、第２レンズ群での軸上収差と、第３レンズ群での軸外収差の低減に有利となる。
【００５５】
さらには、第３レンズ群をフォーカシング時に移動する群とする場合、第２レンズ群の変倍のための移動スペースと第３レンズ群のフォーカシングのための移動スペースを確保しつつ全長の短縮化に有利となる。
【００５６】
条件式（８）の下限を下回らないようにすることで、第２レンズ群の屈折力を確保し、変倍するためのスペースを小さくでき、全長の小型化に有利となる。もしくは、第３レンズ群の屈折力を抑え、軸外収差、特に像面湾曲や倍率色収差の発生を抑えやすくなる。
【００５７】
条件式（８）の上限を上回らないようにすることで、第２レンズ群の屈折力を適度に抑え、諸収差、特に軸上収差の低減に有利となる。
なお、屈折力の値は焦点距離の逆数である。
【００５８】
本発明に係る撮像装置において、第２レンズ群、第３レンズ群が以下の条件式（９）、（１０）を満足することが好ましい。
４．０＜β2（ｔ）／β2（ｗ）＜１０．０  ・・・（９）
０．７＜β3（ｔ）／β3（ｗ）＜２．０  ・・・（１０）
ただし、
β2（ｗ）は、広角端における第２レンズ群の横倍率、
β2（ｔ）は、望遠端における第２レンズ群の横倍率、
β3（ｗ）は、広角端における第３レンズ群の横倍率、
β3（ｔ）は、望遠端における第３レンズ群の横倍率、
である。
【００５９】
条件式（９）、（１０）は第２レンズ群と第３レンズ群の好ましい変倍負担を特定するものである。条件式（９）、（１０）を満足することで、第２レンズ群と第３レンズ群で良好に変倍負担を行うことができるため高変倍化に有利となる。
【００６０】
条件式（９）の下限を下回らないようにすることで、第２レンズ群の変倍負担を確保し、他のレンズ群の変倍負担を軽減でき、収差低減に有利となる。
【００６１】
条件式（９）の上限を上回らないようにして第２レンズ群での変倍負担を軽減することで、レンズ４枚構成の第２レンズ群による光学性能の確保に有利となる。
【００６２】
条件式（１０）の下限を下回らないようにすることで、他のレンズ群の変倍負担を軽減でき、収差低減に有利となる。
【００６３】
条件式（１０）の上限を上回らないようにして第３レンズ群での変倍負担を軽減することで、第３レンズ群の移動量もしくは屈折力を小さくでき光学性能の確保に有利となる。
【００６４】
本発明に係る撮像装置において、第３レンズ群は正の屈折力を有し、ズームレンズの広角端および望遠端での光路長が以下の条件式（１１）を満足することが好ましい。
０．５＜Ｄw／Ｄt≦１．０  ・・・（１１）
ただし、
Ｄwは、広角端におけるズームレンズの物体側面から撮像面までの光路長、
Ｄtは、望遠端におけるズームレンズの物体側面から撮像面までの光路長、
である。
【００６５】
条件式（１１）は、画角の確保と変倍比の確保に有利となるズームレンズの光路長を特定するものである。この条件式を満足することで、広角端で第１レンズ群の径方向の小型化と、第２レンズ群の変倍スペースを確保に有利となる。
【００６６】
条件式（１１）の下限を下回らないようにすることで、広角端での第２レンズ群と第３レンズ群の間の間隔を確保し、第３レンズ群による射出瞳を像面から遠ざける機能の確保に有利となる。もしくは、第３レンズ群をフォーカシング時に移動する群とする場合、第３レンズ群のフォーカシングのための移動量の確保に有利となる。
【００６７】
条件式（１１）の上限を上回らないようにすることで、第２レンズ群の移動スペースの確保に有利となる。もしくは、広角端でのズームレンズの全長を抑えることで、広画角化による第１レンズ群のサイズの肥大化を抑制できる。
【００６８】
また、本発明の第２の態様に係る撮像装置は、ユーザーに親近感を与える撮像装置の提供を課題とする。
第２の態様に係る撮像装置は、ズームレンズと、ズームレンズの像側に配置され、撮像面を有し且つズームレンズにより撮像面上に形成された像を電気信号に変換する撮像素子と、電気信号に基づき画像信号に変換する信号処理部と、画像信号に基づき撮影画像を表示するモニターと、を備えた撮像装置であって、自然人情報を含むメモリーと、自然人情報をモニターに表示する表示切り替え操作部と、を備えたことを特徴としている。
【００６９】
撮像装置の購入を検討する者が、家電量販店などで安心且つ親近感をもって購入することが可能なる。また、購入した撮像装置に対する愛着もわきやすくなる。
【００７０】
さらには、ズームレンズのズーミング操作を行うズーミング操作部を有し、ズーミング操作部が表示切り替え操作部の少なくとも一部を兼用するようにしてもよい。操作部を兼用でき、部品点数を減らせる。
【００７１】
また、自然人情報が自然人のムービー画像と声を含むようにしてもよい。たとえば、撮像装置の特徴や操作説明をムービー画像と声の情報により購入希望者に提供できる。自然人情報が撮像装置の製造を行った組み立て担当者、設計者、販売店の店員、商品企画者の情報のいずれかもしくは複数としてもよい。
【００７２】
また、本発明の第３の態様に係る撮像装置は、広画角化や高変倍比化しやすいズームレンズを備えた撮像装置の提供を課題とする。
本発明の第３の態様に係る撮像装置は、ズームレンズと、ズームレンズの像側に配置され、撮像面を有し且つズームレンズにより撮像面上に形成された像を電気信号に変換する撮像素子と、を備え、ズームレンズは、物体側から順に、負屈折力の第１レンズ群と、正屈折力の第２レンズ群と、第３レンズ群と、を有し、さらに、広角端から望遠端へのズーミングの際に、第２レンズ群と一体で移動する明るさ絞りを有し、前記ズーミングの際に、第１レンズ群と第２レンズ群は移動し、且つ、各レンズ群の間の間隔は変化し、第１レンズ群は以下の条件式（１）を満足する負レンズを有し、第２レンズ群は正レンズと負レンズを含む４枚のレンズで構成され、以下の条件式（１２）を満足することを特徴としている。
−１．０＜（ｒ1a＋ｒ1b）／（ｒ1a−ｒ1b）＜０．９８  ・・・（１）
１．７５＜ＡＶＥ（ｎd）＜２．４０  ・・・（１２）
ただし、
ｒ1aおよびｒ1bは、第１レンズ群中の負レンズの物体側面および像側面の近軸曲率半径、
ＡＶＥ（ｎd）は、ズームレンズにおける第１レンズ群から第３レンズ群までの全てのレンズの屈折率の平均値、
である。
【００７３】
第３の態様の撮像装置では、前述の第１の側面の本発明の条件式（２）、（３）に変えて条件式（１２）を満足するようにしてもよい。
【００７４】
条件式（１２）の下限を下回らないようにすることで、各レンズ群の屈折力を十分に確保してもズームレンズ中の諸レンズの近軸曲率絶対値を小さくでき、各レンズ群の薄型化や光学性能の向上につながり、変倍比の確保や画角の確保に有利となる。
【００７５】
条件式（１２）の上限を上回らないようにすることで、諸レンズの材料コストを抑えやすくなる。
【００７６】
本発明に係る撮像装置において、第１レンズ群は物体側から順に負レンズと正レンズの２つのレンズからなることが好ましい。
【００７７】
第１レンズ群を物体側から順に負レンズと正レンズの２枚で構成することによって第１レンズ群の主点を物体側よりにして第１レンズ群の径方向のサイズやズームレンズ全長を小さくしやすくなる。
【００７８】
加えて、第１レンズ群の色収差を少ないレンズ枚数で抑えやすくなる。加えて、望遠端での軸上収差の発生の低減に有利となる。
【００７９】
本発明に係る撮像装置において、ズームレンズが以下の条件式（１３）を満足することが好ましい。
３．６＜ｆt／ｆw＜１０  ・・・（１３）
ただし、
ｆwは、広角端でのズームレンズの焦点距離、
ｆtは、望遠端でのズームレンズの焦点距離、
である。
【００８０】
条件式（１３）はズームレンズの好ましい変倍比に関する条件式である。
【００８１】
条件式（１３）の下限を下回らないようにして、変倍比を確保することが本発明の機能を発揮でき好ましい。
【００８２】
条件式（１３）の上限を上回らないようにすることで、サイズやコストを低減しやすくなる。また、光学性能を良好にしやすくなる。
【００８３】
本発明に係る撮像装置において、ズームレンズによるディストーションを含んだ電気信号を、画像処理によりディストーションを補正した画像信号に変換する画像変換部を有することが好ましい。
【００８４】
ズームレンズのディストーションを電気的に補正したうえで画像の記録や表示を行える。したがって、ズームレンズのディストーションの収差発生を許容することで、像面湾曲やコマ収差の補正に有利となり、結果的に小型のズームレンズで良好な画質を得やすくなる。
【００８５】
本発明に係る撮像装置において、ズームレンズによる倍率色収差を含んだ電気信号を、画像処理により倍率色収差を補正した画像信号に変換する画像変換部を有することが好ましい。
【００８６】
ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
【００８７】
ズームレンズの倍率色収差を許容することで、レンズの材料選択の自由度が確保でき、低コスト化、薄型化、高性能化に有利となる。
【００８８】
本発明の撮像装置は、上述の各要件の複数を同時に満足することがより好ましい。
また、各条件式について以下のように下限値もしくは上限値もしくは双方を限定すると、その効果をいっそう得やすくなり好ましい。
【００８９】
条件式（１）については、下限値を−１．０、さらには０．５とすることがより好ましい。上限値は０．９０、さらには０．８５とすることがより好ましい。
【００９０】
条件式（２）については、下限値を１．００、さらには１．４０とすることがより好ましい。上限値は１．８０、さらには１．６８とすることがより好ましい。
【００９１】
条件式（３）については、下限値を１．６、さらには１．８とすることがより好ましい。上限値は３．５、さらには２．１とすることがより好ましい。
【００９２】
条件式（４）については、下限値を１．３、さらには１．７とすることがより好ましい。上限値は２．５、さらには２．０とすることがより好ましい。
【００９３】
条件式（５）については、下限値を１．２、さらには１．４とすることがより好ましい。上限値は２．０、さらには１．７とすることがより好ましい。
【００９４】
条件式（６）については、下限値を２．０、さらには２．３とすることがより好ましい。上限値は８．０、さらには６．５とすることがより好ましい。
【００９５】
条件式（７）については、下限値を１．９０、さらには１．９２とすることがより好ましい。上限値は２．２０、さらには２．１０とすることがより好ましい。
【００９６】
条件式（８）については、下限値を１．２、さらには１．３とすることがより好ましい。上限値は３．０、さらには２．３とすることがより好ましい。
【００９７】
条件式（９）については、下限値を４．４、さらには４．７とすることがより好ましい。上限値は７．０、さらには５．３とすることがより好ましい。
【００９８】
条件式（１０）については、下限値を０．８、さらには０．９とすることがより好ましい。上限値は１．５、さらには１．２とすることがより好ましい。
【００９９】
条件式（１１）については、下限値を０．７、さらには０．８とすることがより好ましい。上限値は０．９９、さらには０．９８とすることがより好ましい。
【０１００】
条件式（１２）については、下限値を１．７６、さらには１．７８とすることがより好ましい。上限値は２．３、さらには２．２とすることがより好ましい。
【０１０１】
条件式（１３）については、下限値を３．８、さらには４．４とすることがより好ましい。上限値は８．０、さらには６．５とすることがより好ましい。
【発明の効果】
【０１０２】
本発明にかかる撮像装置は、小型化を実現しつつ、広画角化及び高変倍比化にも有利なズームレンズを備えることができる、という効果を奏する。
【発明を実施するための最良の形態】
【０１０３】
以下に、本発明にかかる撮像装置の実施例を図面に基づいて詳細に説明する。なお、この実施例によりこの発明が限定されるものではない。
【実施例】
【０１０４】
以下、本発明のズームレンズの実施例１〜１０について説明する。実施例１〜１０の無限遠物点合焦時の広角端（ａ）、中間焦点距離状態（ｂ）、望遠端（ｃ）のレンズ断面図をそれぞれ図１〜図１０に示す。図１〜図１０中、第１レンズ群はＧ１、第２レンズ群はＧ２、第３レンズ群はＧ３、明るさ（開口）絞りはＳ、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。
【０１０５】
また、各実施例において、明るさ絞りＳは第２レンズ群Ｇ２と一体で移動する。数値データはいずれも無限遠の被写体に合焦した状態でのデータである。各数値の長さの単位はｍｍ、角度の単位は°（度）である。フォーカシングはいずれの実施例も第３レンズ群Ｇ３の移動により行う。さらに、ズームデータは広角端（ＷＥ）、本発明で定義する中間ズーム状態（ＳＴ）、望遠端（ＴＥ）での値である。
【０１０６】
実施例１のズームレンズは、図１に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１０７】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動する。明るさ絞りＳは、第２レンズ群Ｇ２とともに移動する。
【０１０８】
物体側から順に、第１レンズ群Ｇ１は、両凹負レンズと、両凸正レンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、像側に凸面を向けた正メニスカスレンズからなる。
【０１０９】
非球面は、第１レンズ群Ｇ１の両凹負レンズの両面と両凸正レンズの両面と、第２レンズ群Ｇ２の物体側の両凸正レンズの両面と、第３レンズ群Ｇ３の正メニスカスレンズの像側の面と、の７面に設けられている。
【０１１０】
実施例２のズームレンズは、図２に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１１１】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。明るさ絞りＳは、第２レンズ群Ｇ２とともに移動する。
【０１１２】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。
【０１１３】
非球面は、第１レンズ群Ｇ１の両凹負レンズの両面と正メニスカスレンズの両面と、第２レンズ群Ｇ２の物体側の両凸正レンズの両面と、第３レンズ群Ｇ３の両凸正レンズの像側の面と、の７面に設けられている。
【０１１４】
実施例３のズームレンズは、図３に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１１５】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。明るさ絞りＳは、第２レンズ群Ｇ２とともに移動する。
【０１１６】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。
【０１１７】
非球面は、第１レンズ群Ｇ１の両凹負レンズの両面と正メニスカスレンズの両面と、第２レンズ群Ｇ２の物体側の両凸正レンズの両面と、第３レンズ群Ｇ３の両凸正レンズの像側の面と、の７面に設けられている。
【０１１８】
実施例４のズームレンズは、図４に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１１９】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動する。明るさ絞りＳは、第２レンズ群Ｇ２とともに移動する。
【０１２０】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。
【０１２１】
非球面は、第１レンズ群Ｇ１の両凹負レンズの両面と正メニスカスレンズの両面と、第２レンズ群Ｇ２の物体側の両凸正レンズの両面と、第３レンズ群Ｇ３の両凸正レンズの像側の面と、の７面に設けられている。
【０１２２】
実施例５のズームレンズは、図５に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１２３】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。明るさ絞りＳは、第２レンズ群Ｇ２とともに移動する。
【０１２４】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。
【０１２５】
非球面は、第１レンズ群Ｇ１の両凹負レンズの両面と、第２レンズ群Ｇ２の物体側の両凸正レンズの両面と正メニスカスレンズの物体側の面と、の５面に設けられている。
【０１２６】
実施例６のズームレンズは、図６に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１２７】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動した後に物体側へ移動する。明るさ絞りＳは、第２レンズ群Ｇ２とともに移動する。
【０１２８】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。
【０１２９】
非球面は、第１レンズ群Ｇ１の両凹負レンズの両面と、第２レンズ群Ｇ２の物体側の両凸正レンズの両面と正メニスカスレンズの両面と、第３レンズ群Ｇ３の両凸正レンズの像側の面と、の７面に設けられている。
【０１３０】
実施例７のズームレンズは、図７に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１３１】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動する。明るさ絞りＳは、第２レンズ群Ｇ２とともに移動する。
【０１３２】
物体側から順に、第１レンズ群Ｇ１は、両凹負レンズと、両凸正レンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、像側に凸面を向けた正メニスカスレンズからなる。
【０１３３】
非球面は、第１レンズ群Ｇ１の両凹負レンズの両面と、第２レンズ群Ｇ２の物体側の両凸正レンズの両面と、第３レンズ群Ｇ３の正メニスカスレンズの像側の面と、の５面に設けられている。
【０１３４】
実施例８のズームレンズは、図８に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、を配置している。
【０１３５】
広角端から望遠端への変倍に際して、第１レンズ群Ｇ１は像側へ移動した後に物体側へ移動する。第２レンズ群Ｇ２は物体側へ移動する。第３レンズ群Ｇ３は像側へ移動する。明るさ絞りＳは、第２レンズ群Ｇ２とともに移動する。
【０１３６】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、両凸正レンズと、からなる。第３レンズ群Ｇ３は、像側に凸面を向けた正メニスカスレンズからなる。
【０１３７】
非球面は、第１レンズ群Ｇ１の両凹負レンズの両面と、第２レンズ群Ｇ２の物体側の両凸正レンズの両面と、第３レンズ群Ｇ３の正メニスカスレンズの像側の面と、の５面に設けられている。
【０１３８】
実施例９のズームレンズは、図９に示すように、物体側から順に、負の屈折力の第１レンズ群Ｇ１と、明るさ（開口）絞りＳと、正の屈折力の第２レンズ群Ｇ２と、正の屈折力の第３レンズ群Ｇ３と、正の屈折力の第４レンズ群Ｇ４と、を配置している。
【０１３９】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。第４レンズ群Ｇ４は、固定している。明るさ絞りＳは、第２レンズ群Ｇ２とともに移動する。
【０１４０】
物体側から順に、第１レンズ群Ｇ１は、両凹負レンズと、物体側に凸面を向けた正メニスカスレンズと、からなる。第２レンズ群Ｇ２は、両凸正レンズと、両凸正レンズと両凹負レンズとの接合レンズと、物体側に凸面を向けた正メニスカスレンズと、からなる。第３レンズ群Ｇ３は、両凸正レンズからなる。第４レンズ群Ｇ４は、両凸正レンズからなる。
【０１４１】
非球面は、第１レンズ群Ｇ１の両凹負レンズの両面と正メニスカスレンズの両面と、第２レンズ群Ｇ２の物体側の両凸正レンズの両面と、第３レンズ群Ｇ３の両凸正レンズの像側の面と、の７面に設けられている。
【０１４２】
実施例１０のズームレンズは、図１０に示すように、物体側から順に、負の屈折力の第１レンズ群Ｇ１と、明るさ（開口）絞りＳと、正の屈折力の第２レンズ群Ｇ２と、負の屈折力の第３レンズ群Ｇ３と、を配置している。
【０１４３】
広角端から望遠端への変倍に際して、第１レンズ群Ｇ１は像側へ移動した後に物体側へ移動する。第２レンズ群Ｇ２は物体側へ移動する。第３レンズ群Ｇ３は物体側へ移動した後に像側へ移動する。明るさ絞りＳは、第２レンズ群Ｇ２とともに移動する。
【０１４４】
物体側から順に、第１レンズ群Ｇ１は、両凹負レンズと、物体側に凸面を向けた正メニスカスレンズと、からなる。第２レンズ群Ｇ２は、両凸正レンズと、物体側に凸面を向けた負メニスカスレンズと物体側に凸面を向けた負メニスカスレンズとの接合レンズと、両凸正レンズと、からなる。第３レンズ群Ｇ３は、物体側に凸面を向けた負メニスカスレンズからなる。
【０１４５】
非球面は、第１レンズ群Ｇ１の両凹負レンズの両面と正メニスカスレンズの両面と、第２レンズ群Ｇ２の物体側の両凸正レンズの両面と像側の両凸正レンズの両面と、第３レンズ群Ｇ３の負メニスカスレンズの両面と、の１０面に設けられている。
【０１４６】
以下に、上記各実施例の数値データを示す。記号は上記のほか、Ｒは各レンズ面の曲率半径、Ｄは各レンズの肉厚または間隔、ｎｄは各レンズのｄ線における屈折率、νdは各レンズのｄ線におけるアッベ数、Ｋは円錐係数をそれぞれ示している。
【０１４７】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋Ｋ）・（Ｙ／ｒ）２｝１／２］＋
Ａ４×Ｙ４＋Ａ６×Ｙ６＋Ａ８×Ｙ８＋Ａ１０×Ｙ１０＋Ａ１２×Ｙ１２・・・（Ｉ）
ただし、
ｒは近軸曲率半径、
Ｋは円錐係数、
Ａ4 、Ａ6 、Ａ8 、Ａ10、Ａ12はそれぞれ４次、６次、８次、１０次、１２次の非球面係数である。
また、非球面係数において、「ｅ−ｎ」（ｎは整数）は、「１０−ｎ」を示している。
【０１４８】
数値実施例１
単位ｍｍ
面データ
面番号      r          d         nd        νd 
物面       ∞          ∞
1*      -33.000       0.70     1.88300    40.76
2*        7.781       2.50
3*       27.495       1.90     2.10220    16.80
4*     -416.858       可変  
5          絞り       0.30
6*        5.479       1.80     1.61881    63.85
7*      -28.056       0.30
8         7.138       1.75     1.57099    50.80
9       -23.817       0.60     1.90366    31.32
10        4.123       0.80
11        9.992       1.10     1.53100    55.60
12       54.381       可変
13      -15.353       1.30     1.88300    40.76
14*      -7.372       可変
15          ∞        0.40     1.51633    64.14
16          ∞        0.40
17          ∞        0.40     1.51633    64.14
18          ∞        0.36 
像面(撮像面)  ∞
非球面データ
第１面
k=0.000
A4=9.99446e-05,A6=-9.63628e-07,A8=2.04237e-10
第２面
k=-3.135
A4=6.09572e-05,A6=8.29447e-06,A8=-1.60404e-07,A10=7.16869e-10
第３面
k=0.000
A4=-6.39964e-04,A6=8.67632e-06,A8=-6.03020e-08
第４面
k=0.000
A4=-4.71619e-04,A6=5.19991e-06,A8=-4.06136e-08
第６面
k=0.084
A4=-6.35142e-04,A6=6.90448e-05,A8=-1.20381e-05,A10=7.54600e-07
第７面
k=0.000
A4=1.97786e-04,A6=7.07487e-05,A8=-1.13387e-05,A10=8.32015e-07
第１４面
k=0.000
A4=1.15151e-03,A6=-1.30691e-05,A8=2.68138e-07
ズームデータ
広角      中間      望遠
像高             3.84      3.84      3.84
焦点距離         3.74      9.80     21.56
ＦＮＯ．         2.88      4.66      6.00
画角２ω       105.03     39.26     18.08
D4              21.65      6.69      1.50  
D12              2.06     10.21     24.30  
D14              3.68      3.19      2.59  
fb (in air)      4.97      4.47      3.88
全長 (in air)   41.73     34.42     42.73
群焦点距離
f1=-12.06     f2=10.93     f3=14.92   
【０１４９】
数値実施例２
単位ｍｍ
面データ
面番号      r          d         nd        νd 
物面       ∞          ∞
1*      -29.340       0.70     1.85135    40.10
2*        6.777       1.52
3*       10.860       2.00     2.00170    20.60
4*       30.132       可変  
5          絞り       0.30
6*        5.337       2.00     1.69839    56.54
7*      -16.575       0.10
8        12.761       1.75     1.83481    42.71
9        -9.077       0.60     1.90366    31.32
10        3.726       0.60
11        6.026       1.10     1.49700    81.54
12       10.694       可変
13      604.034       1.60     1.85135    40.10
14*     -15.867       可変
15          ∞        0.40     1.51633    64.14
16          ∞        0.40
17          ∞        0.40     1.51700    64.20
18          ∞        0.36 
像面(撮像面)  ∞
非球面データ
第１面
k=0.000
A4=4.68880e-04,A6=-8.84965e-06,A8=6.14251e-08
第２面
k=-3.135
A4=1.34192e-03,A6=1.05982e-06,A8=-5.74933e-07,A10=8.39406e-09
第３面
k=0.000
A4=-1.19540e-04  
第４面
k=0.000
A4=-1.19553e-04,A6=-1.03634e-06,A8=-2.38329e-08
第６面
k=-0.438
A4=-3.79081e-04,A6=3.77178e-05,A8=-6.63306e-06,A10=7.54600e-07
第７面
k=0.000
A4=5.13385e-04,A6=2.51731e-05,A8=-5.09002e-06,A10=8.53420e-07
第１４面
k=0.000
A4=1.92331e-04,A6=-4.48192e-06,A8=4.05357e-08
ズームデータ
広角      中間      望遠
像高             3.84      3.84      3.84
焦点距離         4.53      9.80     21.74
ＦＮＯ．         3.50      5.11      6.00
画角２ω        98.06     43.38     19.91
D4              16.55      6.10      1.50  
D12              2.00      7.26     20.18  
D14              3.11      3.42      2.99  
fb (in air)      4.40      4.70      4.27
全長 (in air)   35.23     30.34     38.23
群焦点距離
f1=-11.94      f2=9.54     f3=18.18   
【０１５０】
数値実施例３
単位ｍｍ
面データ
面番号      r          d         nd        νd 
物面        ∞         ∞
1*      -35.000       0.70     1.85135    40.10
2*        6.838       1.80
3*       10.926       2.00     2.00170    20.60
4*       28.379       可変  
5          絞り       0.30
6*        5.320       1.53     1.70656    52.36
7*      -30.201       0.10
8        10.800       1.75     1.77250    49.60
9       -13.682       0.60     1.90366    31.32
10        3.889       0.60
11        9.527       1.10     1.49700    81.54
12       57.115       可変
13       73.671       1.40     1.85135    40.10
14*     -23.751       可変
15          ∞        0.40     1.51633    64.14
16          ∞        0.40
17          ∞        0.40     1.51700    64.20
18          ∞        0.36 
像面(撮像面)  ∞
非球面データ
第１面
k=0.000
A4=4.01305e-04,A6=-5.00245e-06,A8=2.08702e-08
第２面
k=-3.135
A4=6.81679e-04,A6=1.92654e-05,A8=-4.90041e-07,A10=2.88794e-09
第３面
k=0.000
A4=-5.84207e-04,A6=2.05468e-05,A8=-2.38179e-07
第４面
k=0.000
A4=-3.27069e-04,A6=1.33908e-05,A8=-2.09187e-07
第６面
k=-0.160
A4=-5.55522e-04,A6=3.64091e-05,A8=-8.52940e-06,A10=7.54600e-07
第７面
k=0.000
A4=1.67778e-04,A6=3.09282e-05,A8=-6.80590e-06,A10=7.52751e-07
第１４面
k=0.000
A4=3.64817e-04,A6=-1.11486e-05,A8=1.98493e-07
ズームデータ
広角      中間      望遠
像高             3.84      3.84      3.84
焦点距離         4.49      9.80     21.56
ＦＮＯ．         3.50      5.03      6.00
画角２ω        91.57     42.35     19.50
D4              18.90      6.72      1.50  
D12              2.56      8.06     20.97  
D14              3.49      3.63      2.59  
fb (in air)      4.78      4.92      3.87
全長 (in air)   38.12     31.58     38.23
群焦点距離
f1=-12.66     f2=10.32     f3=21.24   
【０１５１】
数値実施例４
単位ｍｍ
面データ
面番号      r          d         nd        νd 
物面       ∞          ∞
1*      -38.664       0.70     1.85135    40.10
2*        6.310       1.80
3*        8.901       2.00     2.00170    20.60
4*       16.647       可変  
5          絞り       0.30
6*        5.217       2.00     1.76802    49.24
7*      -16.728       0.10
8        13.257       1.75     1.75500    52.32
9        -6.940       0.60     1.90366    31.32
10        3.652       0.60
11        7.522       1.10     1.49700    81.54
12       17.611       可変
13       73.671       1.60     1.85135    40.10
14*     -17.850       可変
15         ∞         0.40     1.51633    64.14
16         ∞         0.40
17         ∞         0.40     1.51700    64.20
18         ∞         0.36 
像面(撮像面)  ∞
非球面データ
第１面
k=0.000
A4=7.72121e-04,A6=-1.32903e-05,A8=8.19472e-08
第２面
k=-3.135
A4=1.31070e-03,A6=2.72921e-05,A8=-5.31690e-07,A10=-6.96475e-10
第３面
k=0.000
A4=-7.72827e-04,A6=1.65807e-05,A8=-7.50695e-08
第４面
k=0.000
A4=-5.00670e-04,A6=7.07748e-06,A8=-5.62963e-08
第６面
k=-0.145
A4=-6.47506e-04,A6=3.59886e-05,A8=-7.47112e-06,A10=7.54600e-07
第７面
k=0.000
A4=4.73085e-04,A6=2.94405e-05,A8=-5.48603e-06,A10=8.25074e-07
第１４面
k=0.000
A4=2.95904e-04,A6=-9.31694e-06,A8=1.43807e-07
ズームデータ
広角      中間      望遠
像高             3.84      3.84      3.84
焦点距離         4.49      9.80     21.56
ＦＮＯ．         3.50      5.33      6.00
画角２ω        91.08     42.49     19.78
D4              13.98      5.39      1.50  
D12              1.31      7.33     20.31  
D14              3.13      3.04      2.58  
fb (in air)      4.42      4.33      3.87
全長 (in air)   32.27     29.59     38.23
群焦点距離
f1=-10.97      f2=8.93     f3=17.01   
【０１５２】
数値実施例５
単位ｍｍ
面データ
面番号      r          d         nd        νd 
物面       ∞          ∞
1*       -33.169      0.70     1.85135    40.10
2*         6.380      1.80
3         11.481      1.90     2.00170    20.60
4         36.652      可変  
5          絞り       0.30
6*         5.519      2.00     1.76802    49.24
7*      -387.323      0.10
8          6.944      1.75     1.65838    59.27
9         -8.000      0.60     1.90366    31.32
10         3.722      0.60
11*        6.018      1.10     1.54975    48.94
12        15.865      可変
13        50.000      1.80     1.85135    40.10
14       -30.573      可変
15          ∞        0.40     1.51633    64.14
16          ∞        0.40
17          ∞        0.40     1.51700    64.20
18          ∞        0.36 
像面(撮像面)  ∞
非球面データ
第１面
k=0.000
A4=4.65723e-04,A6=-6.75729e-06,A8=3.00586e-08
第２面
k=-3.135
A4=1.50232e-03,A6=-4.04704e-06,A8=-3.75924e-07,A10=2.65200e-09
第６面
k=-0.152
A4=-2.70882e-04,A6=3.16426e-05,A8=-5.34649e-06,A10=7.54600e-07
第７面
k=0.000
A4=-2.97122e-04,A6=4.73560e-05,A8=-4.89964e-06,A10=1.14175e-06
第１１面
k=0.000
A4=-1.68514e-03,A6=3.50142e-05,A8=5.59533e-06
ズームデータ
広角      中間      望遠
像高             3.84      3.84      3.84
焦点距離         4.49      9.90     21.56
ＦＮＯ．         3.50      4.97      6.00
画角２ω        93.93     43.43     20.25
D4              18.08      5.87      1.50  
D12              2.43      6.31     19.81  
D14              2.78      4.30      2.98  
fb (in air)      4.07      5.59      4.27
全長 (in air)   37.23     30.42     38.23
各群焦点距離
f1=-11.93      f2=9.78     f3=22.52   
【０１５３】
数値実施例６
単位ｍｍ
面データ
面番号      r          d         nd        νd 
物面       ∞          ∞
1*      -51.865       0.70     1.85135    40.10
2*        6.577       1.80
3         9.480       2.00     2.00170    20.60
4        18.105       可変  
5          絞り       0.30
6*        5.349       2.00     1.76802    49.24
7*      -42.129       0.10
8        10.657       1.75     1.77250    49.60
9        -5.835       0.60     1.90366    31.32
10        4.269       0.60
11*       6.623       1.10     1.49700    81.54
12*       9.614       可変
13       73.671       1.40     1.85135    40.10
14*     -15.796       可変
15          ∞        0.40     1.51633    64.14
16          ∞        0.40
17          ∞        0.40     1.51700    64.20
18          ∞        0.36 
像面(撮像面)  ∞
非球面データ
第１面
k=0.000
A4=3.67543e-04,A6=-3.19659e-06,A8=5.23731e-09
第２面
k=-3.135
A4=1.59061e-03,A6=-1.99516e-05,A8=8.78972e-07,A10=-1.57760e-08
第６面
k=-0.009
A4=-3.60051e-04,A6=2.49613e-05,A8=-6.08935e-06,A10=7.54600e-07
第７面
k=0.000
A4=1.86120e-04,A6=2.61785e-05,A8=-4.67752e-06,A10=1.01515e-06
第１１面
k=0.000
A4=-1.32642e-03,A6=-1.45230e-04
第１２面
k=0.000
A4=6.47255e-04,A6=6.74404e-06
第１４面
k=0.000
A4=2.04930e-04,A6=-1.01224e-05,A8=1.83143e-07
ズームデータ
広角      中間      望遠
像高             3.84      3.84      3.84
焦点距離         4.49      9.80     21.56
ＦＮＯ．         3.50      5.44      6.00
画角２ω        90.46     43.49     20.48
D4              14.92      6.16      1.50  
D12              1.23      8.08     20.52  
D14              3.37      2.55      2.57  
fb (in air)      4.66      3.84      3.86
全長 (in air)   33.16     30.43     38.23
群焦点距離
f1=-11.99      f2=9.40     f3=15.39   
【０１５４】
数値実施例７
単位ｍｍ
面データ
面番号      r          d         nd        νd 
物面       ∞          ∞
1*      -33.000       0.70     1.88300    40.76
2*        7.848       2.50
3        29.120       1.90     2.10220    16.80
4      -470.707       可変  
5          絞り       0.30
6*        5.630       1.80     1.61881    63.85
7*      -21.128       0.30
8         8.079       1.75     1.57099    50.80
9       -20.222       0.60     1.90366    31.32
10        4.574       0.80
11       11.672       1.10     1.53100    55.60
12       67.163       可変
13      -14.250       1.90     1.88300    40.76
14*      -7.372       可変
15          ∞        0.40     1.51633    64.14
16          ∞        0.40
17          ∞        0.40     1.51633    64.14
18          ∞        0.36 
像面(撮像面)  ∞
非球面データ
第１面
k=0.000
A4=9.99446e-05,A6=-9.63628e-07,A8=2.04237e-10
第２面
k=-3.135
A4=2.99480e-04,A6=1.83296e-06,A8=-1.23683e-07,A10=8.63364e-10
第６面
k=0.101
A4=-7.08773e-04,A6=6.60492e-05,A8=-1.29815e-05,A10=7.54600e-07
第７面
k=0.000
A4=1.81705e-04,A6=6.06427e-05,A8=-1.15239e-05,A10=7.82583e-07
第１４面
k=0.000
A4=1.16896e-03,A6=-8.05662e-06,A8=2.21234e-07
ズームデータ
広角      中間      望遠
像高             3.84      3.84      3.84
焦点距離         3.74      9.80     21.56
ＦＮＯ．         2.88      4.60      6.00
画角２ω       105.14     38.55     17.77
D4              21.16      6.32      1.50  
D12              1.75      9.65     23.70  
D14              3.88      3.60      2.59  
fb (in air)      5.17      4.89      3.88
全長 (in air)   41.73     34.50     42.73
群焦点距離
f1=-11.70     f2=10.75     f3=15.32   
【０１５５】
数値実施例８
単位ｍｍ
面データ
面番号      r          d         nd        νd 
物面       ∞          ∞
1*      -74.353       0.70     1.88300    40.76
2*        6.930       2.50
3        14.744       1.90     2.10220    16.80
4        31.398       可変  
5          絞り       0.30
6*        5.727       1.80     1.61881    63.85
7*      -22.820       0.30
8         8.051       1.75     1.57099    50.80
9       -17.795       0.60     1.90366    31.32
10        4.701       0.80
11       15.493       1.10     1.53100    55.60
12      -38.885       可変
13      -12.297       1.30     1.88300    40.76
14*      -6.969       可変
15          ∞        0.40     1.51633    64.14
16          ∞        0.40
17          ∞        0.40     1.51633    64.14
18          ∞        0.36 
像面(撮像面)  ∞
非球面データ
第１面
k=0.000
A4=9.99446e-05,A6=-9.63628e-07,A8=2.04237e-10
第２面
k=-3.135
A4=7.80651e-04,A6=-6.85124e-06,A8=2.07357e-08,A10=-3.80663e-10
第６面
k=0.136
A4=-7.37642e-04,A6=6.42851e-05,A8=-1.15529e-05,A10=7.54600e-07
第７面
k=0.000
A4=6.91906e-05,A6=6.98701e-05,A8=-1.11219e-05,A10=8.38141e-07
第１４面
k=0.000
A4=1.10831e-03,A6=-8.00999e-06,A8=1.76000e-07
ズームデータ
広角      中間      望遠
像高             3.84      3.84      3.84
焦点距離         3.74      9.80     21.56
ＦＮＯ．         2.88      4.54      6.00
画角２ω       102.62     39.46     18.26
D4              21.24      6.40      1.50  
D12              2.49     10.25     24.29  
D14              3.66      3.39      2.60  
fb (in air)      4.95      4.67      3.89
全長 (in air)   41.73     34.38     42.73
群焦点距離
f1=-11.44     f2=10.64     f3=16.34   
【０１５６】
数値実施例９
単位ｍｍ
面データ
面番号      r          d         nd        νd 
物面       ∞          ∞
1*      -32.955       0.70     1.85135    40.10
2*        6.700       1.68
3*       10.187       2.00     2.00170    20.60
4*       28.354       可変
5          絞り       0.30
6*        5.349       2.00     1.69839    56.54
7*      -20.502       0.10
8        10.179       1.75     1.83481    42.71
9        -6.909       0.60     1.90366    31.32
10        3.436        0.60
11        4.386       1.10     1.49700    81.54
12        5.639       可変
13      604.034       1.60     1.85135    40.10
14*     -15.867       可変
15       32.429       1.20     1.51633    64.14
16      -27.967       0.05
17         ∞         0.40     1.51633    64.14
18         ∞         0.40
19         ∞         0.40     1.51700    64.20
20         ∞         0.36 
像面(撮像面)  ∞
非球面データ
第１面
k=0.000
A4=5.48695e-04,A6=-8.28778e-06,A8=3.64347e-08
第２面
k=-3.135
A4=1.05147e-03,A6=2.82178e-06,A8=-3.13378e-07,A10=2.41864e-09
第３面
k=0.000
A4=-3.66588e-04
第４面
k=0.000
A4=-1.53752e-04,A6=-1.82943e-06,A8=-4.03432e-08
第６面
k=-0.268
A4=-3.67676e-04,A6=3.58032e-05,A8=-5.87865e-06,A10=7.54600e-07
第７面
k=0.000
A4=5.45277e-04,A6=1.54624e-05,A8=-2.83367e-06,A10=8.31427e-07
第１４面
k=0.000
A4=2.47487e-04,A6=-4.26395e-06,A8=5.59056e-08
ズームデータ
広角      中間      望遠
像高             3.84      3.84      3.84
焦点距離         4.53      9.80     21.74
ＦＮＯ．         3.50      5.09      6.00
画角２ω        91.08     42.02     19.39
D4              17.86      6.30      1.50  
D12              1.59      6.48     20.27  
D14              2.51      3.28      2.99  
fb (in air)      1.34      1.34      1.33
全長 (in air)   36.94     31.03     39.73
群焦点距離
f1=-13.29     f2=10.04     f3=18.18     f4=29.28   
【０１５７】
数値実施例１０
単位ｍｍ
面データ
面番号      r          d         nd        νd 
物面       ∞          ∞
1*      -30.134       0.70     1.85135    40.10
2*        6.700       1.52
3*       10.000       2.00     2.00170    20.60
4*       19.715       可変  
5          絞り       0.30
6*        5.585       2.00     1.69100    54.82
7*      -23.851       0.10
8       102.158       1.75     1.83481    42.71
9        26.425       0.60     1.90366    31.32
10        4.922       0.60
11*       6.856       1.80     1.49700    81.54
12*     -16.833       可変
13*      20.501       0.86     1.49700    81.54
14*      19.414       可変
15         ∞         0.40     1.51633    64.14
16         ∞         0.40
17         ∞         0.40     1.51700    64.20
18         ∞         0.36 
像面(撮像面)  ∞
非球面データ
第１面
k=0.000
A4=7.01525e-04,A6=-1.05131e-05,A8=4.56206e-08
第２面
k=-3.135
A4=1.40211e-03,A6=4.07568e-06,A8=5.95034e-08,A10=-8.04560e-09
第３面
k=0.000
A4=-4.11128e-05
第４面
k=0.000
A4=1.00636e-04,A6=-6.39290e-06,A8=-3.88316e-08
第６面
k=-0.503
A4=-5.04468e-05,A6=3.99543e-05,A8=-6.91907e-06,A10=7.54600e-07
第７面
k=0.000
A4=4.43178e-04,A6=3.59271e-05,A8=-7.84938e-06,A10=1.06221e-06
第１１面
k=0.000
A4=-1.75199e-05,A6=-1.50346e-05,A8=2.47379e-06
第１２面
k=0.000
A4=-2.30795e-05,A6=4.23380e-06,A8=6.32128e-07
第１３面
k=0.000
A4=4.16931e-05,A6=-3.12374e-06,A8=1.56048e-07
第１４面
k=0.000
A4=1.01805e-03,A6=-2.11784e-05,A8=1.32318e-06
ズームデータ
広角      中間      望遠
像高             3.84      3.84      3.84
焦点距離         4.53      9.80     21.74
ＦＮＯ．         3.50      4.75      6.00
画角２ω        92.07     42.39     18.98
D4              19.57      7.30      1.50  
D12              3.40      7.44     21.56  
D14              4.24      5.33      2.99  
fb (in air)      5.52      6.62      4.28
全長 (in air)   40.73     33.60     39.58
群焦点距離
f1=-10.35     f2=10.06    f3=-1000.10   
【０１５８】
以上の実施例１〜１０の無限遠物点合焦時の収差図をそれぞれ図１１〜図２０に示す。これらの収差図において、（ａ）は広角端、（ｂ）は中間焦点距離状態、（ｃ）は望遠端における、球面収差（ＳＡ）、非点収差（ＡＳ）、歪曲収差（ＤＴ）、倍率色収差（ＣＣ）を示す。各図中、“ＦＩＹ”は最大像高を示す。
【０１５９】
次に、各実施例における条件式（１）〜（１３）の値を掲げる。
実施例1  実施例2  実施例3  実施例4  実施例5
(1) (r1a + r1b )/( r1a - r1b )     
0.62     0.62     0.67     0.72     0.68
(2) Σ2G / ih             1.65     1.60     1.48     1.60     1.60
(3) Δ2G / f2             1.93     1.89     1.70     2.06     1.80 
(4) f2 / r3a              1.99     1.79     1.94     1.71     1.77 
(5) f2 / L3               1.45     1.59     1.58     1.66     1.38 
(6) L6 / L3               3.02     4.29     3.50     4.73     2.39 
(7) AVE（ｎdg1）          1.993    1.927    1.927    1.927    1.927
(8) P2/P3                 1.37     1.91     2.06     1.91     2.30 
(9) β2（ｔ）/β2（ｗ）   5.23     4.76     4.55     4.60     4.86
(10) β3（ｔ）/β3（ｗ）  1.10     1.01     1.06     1.04     0.99 
(11) Ｄｗ / Dt            0.98     0.92     1.00     0.85     0.97 
(12) AVE（ｎd）           1.785    1.805    1.798    1.804    1.798
(13) ｆt／ｆw             5.76     4.80     4.80     4.80     4.80
実施例6  実施例7  実施例8  実施例9  実施例10
(1) (r1a + r1b )/( r1a - r1b )
0.77     0.62     0.83     0.66     0.64 
(2) Σ2G / ih              1.60     1.65     1.65     1.60     1.78 
(3) Δ2G / f2              1.97     1.92     1.95     1.91     1.68 
(4) f2 / r3a               1.76     1.91     1.86     1.88     1.80 
(5) f2 / L3                1.49     1.46     1.40     1.60     1.49 
(6) L6 / L3                6.06     3.58     2.77     4.90     1.49 
(7) AVE（ｎdg1）           1.927    1.993    1.993    1.927    1.927
(8) P2/P3                  1.64     1.42     1.54     1.81   -99.41 
(9) β2（ｔ）/β2（ｗ）    4.47     5.17     5.30     4.98     4.81 
(10) β3（ｔ）/β3（ｗ）   1.08     1.12     1.09     0.96     1.00 
(11) Ｄｗ / Dt             0.98     0.92     0.98     0.93     1.03 
(12) AVE（ｎd）            1.807    1.785    1.785    1.769    1.754
(13) ｆt／ｆw              4.80     5.76     5.76     4.80     4.80
【０１６０】
（反射防止コート）
ゴースト・フレアの発生を防止するためにレンズの空気接触面に反射防止コートを施すことは一般的に行われている。一方、接合レンズの接合面では接着材の屈折率が空気の屈折率よりも十分高い。そのためもともと単層コート並み、あるいはそれ以下の反射率となっていることが多く、あえてコートを施すことは少ない。
【０１６１】
しかしながら、接合面にも積極的に反射防止コートを施せばさらにゴースト・フレアを軽減でき、なお良好な画像を得ることができるようになる。特に最近では高屈折率硝材が普及し収差補正効果が高いためカメラ光学系に多用されるようになってきているが、高屈折率硝材を接合レンズとして用いた場合、接合面での反射も無視できなくなってくる。
【０１６２】
そのような場合、接合面に反射防止コートを施しておくことは特に効果的である。接合面コートの効果的な使用法に関しては、特開平２−２７３０１号、特開２００１−３２４６７６号、特開２００５−９２１１５号、ＵＳＰ７１１６４８２等に開示されている。
【０１６３】
使用するコート材としては、基盤となるレンズの屈折率と接着材の屈折率に応じて、比較的高屈折率なＴａ2Ｏ5、ＴｉＯ2、Ｎｂ2Ｏ5、ＺｒＯ2、ＨｆＯ2、ＣｅＯ2、ＳｎＯ2、Ｉｎ2Ｏ3、ＺｎＯ、Ｙ2Ｏ3などのコート材、比較的低屈折率なＭｇＦ2、ＳｉＯ2、Ａｌ2Ｏ3などのコート材、などを適宜選択し、位相条件を満たすような膜厚に設定すれば良い。
【０１６４】
当然のことながら、レンズの空気接触面へのコーティング同様、接合面コートをマルチコートとしても良い。２層あるいはそれ以上の膜数のコート材や膜厚を適宜組み合わせることで、更なる反射率の低減や、反射率の分光特性・角度特性等のコントロールなどを行うことが可能となる。また第１レンズ群以外のレンズ接合面についても、同様の思想に基づいて接合面コートを行うことが効果的なのは言うまでもない。
【０１６５】
（ディストーションの信号処理）
上記実施例のズームレンズは矩形の光電変換面上に広角端では樽型の歪曲収差が発生する。一方中間焦点距離状態付近や望遠端では歪曲収差の発生が抑えられる。歪曲収差を電気的に補正するために、有効撮像領域は、広角端では樽型形状とし、中間焦点距離状態や望遠端では矩形の形状となるようにしている。そして、あらかじめ設定した有効撮像領域を画像処理により画像変換し、歪みを低減させた矩形の画像情報に変換する。広角端での像高ＩＨｗは、中間焦点距離状態の像高ＩＨｓや望遠端での像高ＩＨｔよりも小さくなるようにしている。なお、ディストーションは広角端にて−３％残す画像処理を行う。
【０１６６】
実施例１１〜２０は、それぞれ実施例１〜1０のズームレンズを用い、電気的に歪曲収差を補正する撮像装置に用いた例であり変倍時に有効撮像領域の形状が変化する。そのため、ズーム状態における像高や画角が対応する実施例と相違する。
【０１６７】
実施例１１〜２０では広角側で発生する樽型の歪曲収差を電気的に補正したうえで画像の記録や表示を行っている。
【０１６８】
本実施例１１〜２０では、広角端にて光電変換面の短辺方向の長さが有効撮像領域の短辺方向の長さと同じになるようにし、上述したように、画像処理後の歪曲収差が−３％程残るように有効撮像領域を定めている。もちろん、それよりも小さい樽型の領域を有効撮像領域として矩形に変換した画像を記録・再生するようにしてもよい。
【０１６９】
実施例１１のズームレンズは実施例１のズームレンズに同じである。
実施例１２のズームレンズは実施例２のズームレンズに同じである。
実施例１３のズームレンズは実施例３のズームレンズに同じである。
実施例１４のズームレンズは実施例４のズームレンズに同じである。
実施例１５のズームレンズは実施例５のズームレンズに同じである。
実施例１６のズームレンズは実施例６のズームレンズに同じである。
実施例１７のズームレンズは実施例７のズームレンズに同じである。
実施例１８のズームレンズは実施例８のズームレンズに同じである。
実施例１９のズームレンズは実施例９のズームレンズに同じである。
実施例２０のズームレンズは実施例１０のズームレンズに同じである。
【０１７０】
実施例１１における像高、全画角のデータを以下に示す。以下、中間焦点距離状態、望遠端での値は、それぞれ対応する実施例１〜１０と同じである。
各種データ
広角
像高          3.47 
画角２ω     94.85
【０１７１】
実施例１２における像高、全画角のデータを以下に示す。
広角
像高          3.40 
画角２ω     86.83 
【０１７２】
実施例１３における像高、全画角のデータを以下に示す。
広角
像高          3.56        
画角２ω     85.53 
【０１７３】
実施例１４における像高、全画角のデータを以下に示す。
広角
像高          3.57    
画角２ω     85.66 
【０１７４】
実施例１５における像高、全画角のデータを以下に示す。
広角
像高          3.52    
画角２ω     86.59   
【０１７５】
実施例１６における像高、全画角のデータを以下に示す。
広角
像高          3.59    
画角２ω     85.9    
【０１７６】
実施例１７における像高、全画角のデータを以下に示す。
広角
像高          3.48    
画角２ω     94.38   
【０１７７】
実施例１８における像高、全画角のデータを以下に示す。
広角
像高          3.55    
画角２ω     94.90   
【０１７８】
実施例１９における像高、全画角のデータを以下に示す。
広角
像高          3.57   
画角２ω     84.78   
【０１７９】
実施例２０における像高、全画角のデータを以下に示す。
広角
像高          3.54    
画角２ω     85.07   
【０１８０】
（倍率色収差の信号処理）
一般に、電子スチルカメラにおいては被写体の像を、第１原色、第２原色、第３原色の３原色の像に分解して、それぞれの出力信号を演算により重ね合わせることによりカラー画像を再現するようにしている。ズームレンズに倍率色収差がある場合、第１原色の光による像を基準にして考えると、第２原色と第３原色の光による像が結像される位置は第１原色の像が結像される位置からずれることになる。
【０１８１】
電子的に画像の倍率色収差を補正するためには、第１原色に対する第２原色、第３原色の光の結像位置のずれの量をズームレンズの収差情報に基づいて撮像素子の各画素について予め求めておく。そして撮影画像の各画素ごとに、第１原色とのズレ量だけ補正するよう座標変換を行ってやればよい。
【０１８２】
例えば、赤（Ｒ）、緑（Ｇ）、青（Ｂ）の３原色の出力信号からなる画像について説明すれば、Ｇに対するＲとＢの結像位置ずれを各画素について求めておき、Ｇとのずれがなくなるように撮影画像の座標変換を行い、その後にＲとＢの信号を出力してやればよい。
【０１８３】
倍率色収差はズーム、フォーカス、絞り値によって変化するが、各レンズポジション（ズーム、フォーカス、絞り値）ごとに、この第１原色からの第２原色および第３原色のずれ量を補正データとして記憶保持装置に記憶させておくとよい。ズームポジションに応じてこの補正データを参照することで、第１原色信号に対する第２及び第３原色のずれを補正した第２及び第３原色信号とを出力することができる。
【０１８４】
（歪曲収差の補正）
ところで、本発明のズームレンズを用いたときに、像の歪曲は電気的にデジタル補正する。以下に、像の歪曲をデジタル補正するための基本的概念について説明する。
【０１８５】
例えば、図２１に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１８６】
例えば、図２１において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１８７】
ここで、ｒ'（ω）は次のように表すことができる。
ｒ'（ω）＝α・ｆ・ｔａｎω
ただし、
ωは被写体半画角、
ｆは結像光学系（本発明では、ズームレンズ）の焦点距離、
αは０以上１以下である。
【０１８８】
ここで、半径Ｒの円上（像高）に対応する理想像高をＹとすると、
α＝Ｒ／Ｙ＝Ｒ／（ｆ・ｔａｎω）
となる。
【０１８９】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１９０】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１９１】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１９２】
このような方法は、特にズームレンズを有する電子撮像装置において光学系や電子撮像素子の製造誤差等のために光軸に対して歪みが著しく、光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１９３】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１９４】
なお、歪曲補正後の画像が短辺方向の両端において光量が極端に不足することのないようにするには、半径Ｒが、次の条件式を満足するのがよい。
【０１９５】
０≦Ｒ≦０．６Ｌs 
ただし、Ｌsは有効撮像面の短辺の長さである。
【０１９６】
好ましくは、半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１９７】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１９８】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１９９】
そして、分割されたゾーン内の望遠端近傍で略、
ｒ’（ω）＝α・ｆ・ｔａｎω
を満足する補正結果が得られる場合の補正量を算出し、この補正量に対して焦点距離毎に係数を一律に掛けて最終的な補正量にしてもよい。
【０２００】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０２０１】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０２０２】
（デジタルカメラ）
図２２〜図２４は、以上のようなズームレンズを撮影光学系１４１に組み込んだ本発明によるデジタルカメラの構成の概念図を示す。図２２はデジタルカメラ１４０の外観を示す前方斜視図、図２３は同後方正面図、図２４はデジタルカメラ１４０の構成を示す模式的な断面図である。ただし、図２２と図２４においては、撮影光学系１４１の非沈胴時を示している。デジタルカメラ１４０は、この例の場合、撮影用光路１４２を有する撮影光学系１４１、ファインダー用光路１４４を有するファインダー光学系１４３、シャッターボタン１４５、フラッシュ１４６、液晶表示モニター１４７、焦点距離変更ボタン１６１、設定変更スイッチ１６２等を含み、撮影光学系１４１の沈胴時には、カバー１６０をスライドすることにより、撮影光学系１４１とファインダー光学系１４３とフラッシュ１４６はそのカバー１６０で覆われる。そして、カバー１６０を開いてカメラ１４０を撮影状態に設定すると、撮影光学系１４１は図２４の非沈胴状態になり、カメラ１４０の上部に配置されたシャッターボタン１４５を押圧すると、それに連動して撮影光学系１４１、例えば実施例１のズームレンズを通して撮影が行われる。撮影光学系１４１によって形成された物体像が、波長域制限コートを施したローパスフィルタＦとカバーガラスＣを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０２０３】
さらに、ファインダー用光路１４４上にはファインダー用対物光学系１５３が配置してある。ファインダー用対物光学系１５３は、複数のレンズ群（図の場合は３群）と２つのプリズムからなり、撮影光学系１４１のズームレンズに連動して焦点距離が変化するズーム光学系からなり、このファインダー用対物光学系１５３によって形成された物体像は、像正立部材である正立プリズム１５５の視野枠１５７上に形成される。この正立プリズム１５５の後方には、正立正像にされた像を観察者眼球Ｅに導く接眼光学系１５９が配置されている。なお、接眼光学系１５９の射出側にカバー部材１５０が配置されている。
【０２０４】
このように構成されたデジタルカメラ１４０は、撮影光学系１４１が本発明により、沈胴時に厚みを極めて薄く、高変倍で全変倍域で結像性能を極めて安定的であるので、高性能・小型化・広画角化が実現できる。
【０２０５】
（内部回路構成）
図２５は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０２０６】
図２５に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０２０７】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０２０８】
操作部１１２は各種の入力ボタンやスイッチを備え、これらの入力ボタンやスイッチを介して外部（カメラ使用者）から入力されるイベント情報を制御部に通知する回路である。
【０２０９】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０２１０】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０２１１】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０２１２】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０２１３】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０２１４】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０２１５】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０２１６】
以上のように、本発明にかかる撮像装置は、広画角化、高変倍比と、小型化と、が求められる場合に有用である。
【図面の簡単な説明】
【０２１７】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】本発明のズームレンズの実施例６の無限遠物点合焦時の広角端（ａ）、中間状態（ｂ）、望遠端（ｃ）でのレンズ断面図である。
【図７】本発明のズームレンズの実施例７の無限遠物点合焦時の広角端（ａ）、中間状態（ｂ）、望遠端（ｃ）でのレンズ断面図である。
【図８】本発明のズームレンズの実施例８の無限遠物点合焦時の広角端（ａ）、中間状態（ｂ）、望遠端（ｃ）でのレンズ断面図である。
【図９】本発明のズームレンズの実施例９の無限遠物点合焦時の広角端（ａ）、中間状態（ｂ）、望遠端（ｃ）でのレンズ断面図である。
【図１０】本発明のズームレンズの実施例１０の無限遠物点合焦時の広角端（ａ）、中間状態（ｂ）、望遠端（ｃ）でのレンズ断面図である。
【図１１】実施例１の無限遠物点合焦時の収差図である。
【図１２】実施例２の無限遠物点合焦時の収差図である。
【図１３】実施例３の無限遠物点合焦時の収差図である。
【図１４】実施例４の無限遠物点合焦時の収差図である。
【図１５】実施例５の無限遠物点合焦時の収差図である。
【図１６】実施例６の無限遠物点合焦時の収差図である。
【図１７】実施例７の無限遠物点合焦時の収差図である。
【図１８】実施例８の無限遠物点合焦時の収差図である。
【図１９】実施例９の無限遠物点合焦時の収差図である。
【図２０】実施例１０の無限遠物点合焦時の収差図である。
【図２１】歪曲収差の補正を説明する図である。
【図２２】本発明による沈胴式のズームレンズを組み込んだデジタルカメラの外観を示す前方斜視図である。
【図２３】上記デジタルカメラの後方斜視図である。
【図２４】上記デジタルカメラの断面図である。
【図２５】デジタルカメラの主要部の内部回路の構成ブロック図である。
【符号の説明】
【０２１８】
Ｇ１…第１レンズ群
Ｇ２…第２レンズ群
Ｇ３…第３レンズ群
Ｓ…明るさ（開口）絞り
Ｆ…ローパスフィルタ
Ｃ…カバーガラス
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
１６０…カバー
１６１…焦点距離変更ボタン
１６２…設定変更スイッチ
【図１】
2010134373.tif 000003
【図２】
2010134373.tif 000004
【図３】
2010134373.tif 000005
【図４】
2010134373.tif 000006
【図５】
2010134373.tif 000007
【図６】
2010134373.tif 000008
【図７】
2010134373.tif 000009
【図８】
2010134373.tif 000010
【図９】
2010134373.tif 000011
【図１０】
2010134373.tif 000012
【図１１】
2010134373.tif 000013
【図１２】
2010134373.tif 000014
【図１３】
2010134373.tif 000015
【図１４】
2010134373.tif 000016
【図１５】
2010134373.tif 000017
【図１６】
2010134373.tif 000018
【図１７】
2010134373.tif 000019
【図１８】
2010134373.tif 000020
【図１９】
2010134373.tif 000021
【図２０】
2010134373.tif 000022
【図２１】
2010134373.tif 000023
【図２２】
2010134373.tif 000024
【図２３】
2010134373.tif 000025
【図２４】
2010134373.tif 000026
【図２５】
2010134373.tif 000027